(57)【要約】【課題】内蔵マイク集音部を厚手の防水布生地、ビニールシートが覆ってしまうため、本来のステレオマイクとしての性能が極端に悪化したり、またビデオカメラ本体から放射される内部のメカ騒音が、防水カバー内にこもってマイク集音部に効率よく入り込むため、正常な音声集音ができなくなる点である。【解決手段】防水カバー材料に通気性のある薄手の伸縮撥水性ニット布生地を採用することにより、雨や雪だけを効果的に阻止し、音は通過する性質があるため防水カバー装着時でも内蔵マイクの性能を最大限発揮できるものである。【選択図】図３
2005191824.tif 000002
【特許請求の範囲】
【請求項１】
少なくとも集音手段を設けた電子機器を覆う防水カバーであって、防水カバー材料に通気性のある薄手の伸縮撥水性ニット布生地を用い、前記電子機器に本防水カバーを装着した際、本防水カバーの生地と前記集音手段とが密着することを特徴とする防水カバー。
【請求項２】
周囲の音を集音する集音手段と、被写体を撮影する撮像手段と、撮影中の映像を目視可能なビューファインダーとをを設けたビデオカメラを覆う防水カバーであって、通気性のある薄手の伸縮撥水性ニット布生地を用い前記ビデオカメラを覆うカバー本体と、前記カバー本体の端部に設けられ前記撮像手段を外部に露出させるための第１の孔部と、前記カバー本体の端部に設けられ前記ビューファインダー部を外部に露出させるため第２の孔部とを備え、前記電子機器に本防水カバーを装着した際、前記撮像手段が前記第１の孔部から外部に露出し、前記ビューファインダー部が前記第２の孔部から外部に露出し、本防水カバーの生地と前記集音手段とが密着することを特徴とする防水カバー。
【発明の詳細な説明】
【技術分野】
【０００１】
本発明は、ビデオカメラに装着して使用し、雨、雪などからビデオカメラ本体を守るための防水カバーに関するものである。
【背景技術】
【０００２】
一般的なビデオカメラの防水カバーは、材料に厚手の伸縮性のない防水布生地、ビニールシートなどが用いられ、ビデオカメラ本体の大きさにほぼ合わせた形で裁断、張り合わせ、縫合して形を作っている。
【０００３】
これらの材料を用いて防水カバーを作る場合、ビデオカメラの形に細かく合わせると、コストが非常に高くなるため、あまり細かい形合わせが行われず、一般的にビデオカメラ本体に防水布生地を簡単に巻き付けたような形態のものが多く、ビデオカメラ前方部はレンズがある関係上透明のビニールシートで形成され、またビデオカメラ後方部は開放された形になっているものが多い。
【０００４】
ビデオカメラには内蔵ステレオマイクの搭載されているものが多いが、このような防水カバーを装着した場合、内蔵マイクの集音部を厚手の防水布生地、ビニールシートが覆ってしまうため、本来のステレオマイクとしての性能が極端に悪化したり、またビデオカメラ本体から放射される内部のメカ騒音が防水カバー内にこもって、マイク集音部に効率よく入り込むため、この騒音が記録されて正常な音声集音ができなくなる欠点があった。
【０００５】
また、ビデオカメラの大きさ、機種が異なる場合、それぞれの大きさ、形状に合わせた何種類かの防水カバーが必要で、機種間で共用化できない欠点も持ち合わせている。
【０００６】
以下、従来の防水カバーについて図面を用いて説明する。
【０００７】
図４は従来の防水ケースを示す外観斜視図である。防水ケース１はケース本体２と開閉装置４と窓部３と窓部５よりなる。ケース本体２は通気性のある防水布により構成される。ケース本体２の上部には防水性を有した開閉装置４例えば、防水性ファスナーが一体的に取り付けられている。ケース本体２の左右両方向には透視可能かつ剛体構造を有する窓部３及び窓部５が一体的に取り付けられている。
【０００８】
図５は従来防水ケース１に収納するＶＴＲ一体型カメラ１０の一例を示すものである。ＶＴＲ一体型カメラ１０は主にカメラ部１１とＶＴＲ部１２とＥＶＦ部１３とよりなり、カメラ部１１は外部より光信号を取り入れて電気信号に変換する。ＶＴＲ部１２は前述した電気信号を磁気信号に変換して、図示しないが磁気テープに記録する。ＥＶＦ部１３はカメラ部により変換された電気信号をＣＲＴないしＬＣＤによって視覚化し現在撮影している内容を目にて確認するために用いられる。ＶＴＲ部１２の上端にはズームボタン１４が配置されカメラ部１１のズーミングに使われる。ＶＴＲ部１２の左側面には図示しないがスタート／ストップボタン１５が配置されＶＴＲ一体型カメラ１０の撮影開始、撮影一時停止に使われる。ＶＴＲ部１２の後方には図示しないが電源ボタンが配置されＶＴＲ一体型カメラ１０の電源入り／切りに使われる。ＶＴＲ部１２の全面にはグリップ部１７が配置されＶＴＲ一体型カメラ１０を保持するときに右手の平をこの部分に固定して撮影を行う。今、ＶＴＲ一体型カメラ１０を用いて撮影するときにはまず電源ボタン１６を操作して電源を入れ、グリップ部１７に右手手の平を当てて、ＶＴＲ一体型カメラ１０を保持しながら右手人差指と中指を用いてズームボタン１４操作を行い、同時に右手親指を用いてスタート／ストップボタン１５を操作する。一方目をＶＴＲ一体型カメラ１０に当てて現在撮影されている内容を確認する。このようにＶＴＲ一体型カメラ１０を操作するためには最低でもＶＴＲ一体型カメラ１０を保持し、電源ボタン１６を操作し、スタート／ストップボタン１５を操作し、ズームボタン１４を操作する必要がある。
【０００９】
図６は従来の防水ケース１にＶＴＲ一体型カメラ１０を収納した状態を示す外観斜視図である。防水ケース１にＶＴＲ一体型カメラ１０をカメラ部１１が窓部３に収納可能に且つ、ＥＶＦ部が窓部５に収納可能にして収納後開閉装置４を閉じて防水ケース１の水密性を確保する。防水ケース１は前述のように通気性があって可橈性のある防水布にて構成されるので空気中でＶＴＲ一体型カメラ１０が防水ケース１に収納された状態でも防水ケース１の上からＶＴＲ一体型カメラ１０の操作ができる。また、防水ケース１にＶＴＲ一体型カメラ１０を入れた状態で防水ケース１を水中に入れたときでも内部の空気のみが水中に排出される構造なので防水ケース１の上からＶＴＲ一体型カメラ１０の操作ができる。
【特許文献１】特開平６−１４１２１２号公報
【発明の開示】
【発明が解決しようとする課題】
【００１０】
解決しようとする問題点は、内蔵マイク集音部を厚手の防水布生地、ビニールシートが覆ってしまうため、本来のステレオマイクとしての性能が極端に悪化したり、またビデオカメラ本体から放射される内部のメカ騒音が防水カバー内にこもって、マイク集音部に効率よく入り込むため、この騒音が記録されて正常な音声集音ができなくなる点である。一般にビデオカメラにおける内蔵マイク集音部は、本体前面部（レンズの近傍）か本体上面部に設けられている。
【００１１】
本発明は上記問題点に鑑み、防水カバー材料に通気性、及び伸縮性のある薄手の撥水性ニット布生地を採用することで、雨や雪だけを効果的に阻止し、音は通過する性質があるため防水カバー装着時でも内蔵マイクの音響性能を最大限発揮でき、更に内蔵マイクの集音部を直接この布生地で密着して覆う構造のため、強風時の風雑音抑圧効果が大きく得られる防水カバーを提供することを目的とする。
【課題を解決するための手段】
【００１２】
上記課題を解決するために本発明は、少なくとも集音手段を設けた電子機器を覆う防水カバーであって、防水カバー材料に通気性のある薄手の伸縮撥水性ニット布生地を用い、前記電子機器に本防水カバーを装着した際、本防水カバーの生地と前記集音手段とが密着するものである。
【発明の効果】
【００１３】
本発明の防水カバーは、防水カバー材料に通気性及び伸縮性のある薄手の撥水性ニット布生地を採用するため、雨や雪だけを効果的に阻止し、音は通過する性質があるため防水カバー装着時でも内蔵マイクの音響性能を最大限発揮できるものである。更に内蔵マイクの集音部を直接この布生地で密着して覆う構造のため、強風時の風雑音抑圧効果が大きく得られる利点もある。
【００１４】
また、伸縮性があるため、サイズや、形の異なるビデオカメラでも一種類の防水カバーで共用でき、薄手生地の形態から持ち運びしやすい利点もある。
【００１５】
また、材料、加工コストも安価であることから、大幅なコストダウンも可能である。
【発明を実施するための最良の形態】
【００１６】
本発明の請求項１に記載の発明は、少なくとも集音手段を設けた電子機器を覆う防水カバーであって、防水カバー材料に通気性のある薄手の伸縮撥水性ニット布生地を用い、前記電子機器に本防水カバーを装着した際、本防水カバーの生地と前記集音手段とが密着するものである。
【００１７】
また請求項２に記載の発明は、周囲の音を集音する集音手段と、被写体を撮影する撮像手段と、撮影中の映像を目視可能なビューファインダーとをを設けたビデオカメラを覆う防水カバーであって、通気性のある薄手の伸縮撥水性ニット布生地を用い前記ビデオカメラを覆うカバー本体と、前記カバー本体の端部に設けられ前記撮像手段を外部に露出させるための第１の孔部と、前記カバー本体の端部に設けられ前記ビューファインダー部を外部に露出させるため第２の孔部とを備え、前記電子機器に本防水カバーを装着した際、前記撮像手段が前記第１の孔部から外部に露出し、前記ビューファインダー部が前記第２の孔部から外部に露出し、本防水カバーの生地と前記集音手段とが密着するものであり、伸縮性のある撥水性ニット布生地で、直接ビデオカメラ全体を密着して覆うように装着する形態をとることにより、上記の発明効果が得られるものである。
【００１８】
以下、本発明の実施の形態について、図面を用いて説明する。
【００１９】
（実施の形態１）
図１は、本発明の実施の形態１における防水カバーの外観を示す外観斜視図である。図において、１０１は通気性及び伸縮性のある薄手の撥水性ニット生地より構成された防水カバーで、撥水性があるため雨や雪だけを効果的に阻止し、通気性があるため音は通過する性質があるため、防水カバー１０１をビデオカメラに装着した時でも、内蔵マイクの音響性能（集音性能）を最大限発揮できる。防水カバー１０１はビデオカメラなどの電子機器が位置するカバー本体１０２と、ビデオカメラレンズ部をカバー外部に露出させる孔１０３と、ビューファインダーのぞき孔１０４よりなる。カバー本体１０２は伸縮性のある撥水性ニット布生地により構成される。カバー本体１０２の前方にはビデオカメラ本体のレンズ部をカバー外部に露出させる孔１０３があり、カバー本体１０２の後方にはビデオカメラ本体のビューファインダーのぞき孔１０４が設けられている。
【００２０】
また、防水カバー１０１には、ビデオカメラなどの電子機器を内部に挿入するための開口１０５が設けられている。この開口１０５は、防水カバー１０１の底面に設けたが、位置はこれに限定されるものではなく、前面部や側面部であっても構わない。また、開口１０５の縁部には、度重なる電子機器の着脱に耐えうるように、伸縮性があり強度が高い材料を配したり、二重縫製などにより補強が施してある。
【００２１】
また、防水カバー１０１の生地の色は、黒色などの着色であっても構わないし、防水カバー１０１内を目視可能なように透過あるいは半透過の素材より構成してもよい。
【００２２】
さらに、開口１０５は常時開放型としてもよいし、スライドファスナーや面ファスナーなどにより開閉可能に構成してもよい。
【００２３】
また、孔１０３及びのぞき孔１０４の縁部も、度重なる電子機器の着脱に耐えうるように、伸縮性があり強度が高い材料を配したり、二重縫製などにより補強が施してある。
【００２４】
図２は本発明に実施の形態１の防水カバー１０１に収納するビデオカメラ１１０の一例を示すものである。１１０は被写体映像を撮影し磁気テープなどの記録媒体に記録可能なビデオカメラであり、本実施の形態ではビデオカメラを用いたが、デジタルスチルカメラなどのようにレンズ部などを備えた電子機器であれば構わない。１１１は被写体の光学信号が入射されるカメラレンズ部、１１２は内部に記録媒体を駆動するためのメカニズムや各種制御・信号処理を行うための回路を備えている本体部、１１３は内部にマイクロホンを配し周囲の音声を集音するマイク集音部で、本実施の形態では本体部１１２の上面に設けられているが、どこに設けられていてもよい。１１４は撮影中の映像を目視により確認可能なビューファインダ部である。なお、カメラレンズ部１１１とビューファインダー部１１４の位置は図示の位置に限定されない。
【００２５】
図３は本発明の防水カバー１０１をビデオカメラ１１０に装着した状態を示す外観斜視図である。
【００２６】
以上のように構成された本実施の形態の防水カバーについて、以下その動作について説明する。
【００２７】
まず図１に示す防水カバー１０１の底面部に設けられた開口１０５を開ける。この時、スライドファスナーなどにより閉状態の時は、スライドファスナーを開けて開口１０５を開いた状態にする。
【００２８】
次に、図２に示すビデオカメラ１１０を防水カバー１０１の開口１０５から内部に挿入していき、ビデオカメラ１０のカメラレンズ部１１１を防水カバー１の孔１０３に填め込み、ビデオカメラレンズ部をカバー外部に露出させる。この時、孔１０３は伸縮自在な生地より構成されているので、カメラレンズ部１１１の外径に合うようにその開口を広げてから、カメラレンズ部１１１に装着することになる。なお、孔１０３の縁部も伸縮自在な生地より構成されているので、装着されるビデオカメラのカメラレンズ部１１１があらゆる外径であっても、カメラレンズ部１１１を装着することができる。
【００２９】
次に、ビデオカメラ１１０のビューファインダー部１１４を防水カバー１０１ののぞき孔１０４から取り出すように、防水カバー１０１を装着する。この時、のぞき孔１０４は伸縮自在な生地より構成されているので、ビューファインダー部１１４の外径に合うようにその開口を広げてから、ビューファインダー部１１４に装着することになる。なお、のぞき孔１０４の縁部も伸縮自在な生地より構成されているので、装着されるビデオカメラのビューファインダー部１１４があらゆる外径であっても、ビューファインダー部１１４を装着することができる。
【００３０】
次に、ビデオカメラ１１０の本体部分１１２を防水カバー１０１に挿入することで、図３に示す状態となる。防水カバー１０１は伸縮性のある撥水性ニット布生地により構成されているため、ビデオカメラ１１０のマイク集音部１１３は、防水カバー１に密着した形態となる。なおかつ、伸縮性かつ通気性のある素材で構成されているため、ビデオカメラ１１０を防水カバー１０１に装着した状態で撮影を行った際、防水カバー１０１によるマイク集音部１１３への集音の妨げは、従来構成に比べて大幅に軽減され、防水カバーを装着した状態での集音効果を向上させることができる。
【００３１】
以上のように本実施の形態によれば、マイク集音部１１３に防水カバー１０１の生地が密着した状態となり、かつ防水カバー１０１の生地が伸縮性かつ通気性のある素材で構成されているため、ビデオカメラで撮影を行う際、防水カバー１０１によるマイクロホンの集音効果の妨げを軽減することができ、高音質で集音及び録音することができる。また、防水カバー１０１内部におけるこもり音を解消することができ、ビデオカメラ動作時におけるメカニズム駆動音などの雑音を誤って集音してしまうという問題も解消できる。
【００３２】
尚、本実施の形態では、防水カバー１０１の全体形状を図１に示すようなものとしたが、こればビデオカメラ１１０におけるカメラレンズ部１１１とビューファインダー部１１４とがそれぞれ図２に示すように対向配置されているために、孔１０３とのぞき孔１０４とをカバー本体１０２を挟んで対向配置したが、この形状に限定されるものではない。
【産業上の利用可能性】
【００３３】
本発明は防水カバーに関し、主にビデオカメラを屋外で使用するときの雨や雪を効果的に阻止し、内蔵マイクの音響性能を最大限発揮できる防水カバーに関するものである。
【図面の簡単な説明】
【００３４】
【図１】本発明の実施の形態の防水カバーを示す外観斜視図
【図２】同実施の形態の防水カバーに収納するビデオカメラの一例を示す外観斜視図
【図３】同実施の形態の防水カバーをビデオカメラに装着した状態を示す外観斜視図
【図４】従来の防水カバーの斜視図
【図５】従来のビデオカメラの斜視図
【図６】従来の防水カバーにビデオカメラを装着した状態を示す斜視図
【符号の説明】
【００３５】
１    防水カバー
２    カバー本体
３    孔
４    のぞき孔
１０    ビデオカメラ
１１    カメラレンズ部
１２    本体部
１３    マイク集音部
１４    ビューファインダ部
【図１】
2005191824.tif 000003
【図２】
2005191824.tif 000004
【図３】
2005191824.tif 000005
【図４】
2005191824.tif 000006
【図５】
2005191824.tif 000007
【図６】
2005191824.tif 000008